(57)【要約】【課題】  載置時に安定感があり、かつカード載置面に埃や傷が付きにくい非接触カードリーダ・ライタを提供する。【解決手段】  筐体１１に内蔵された情報書込み・読込み部により、筐体の情報書込み・読込み側に置かれた非接触カード２０に情報を書込みおよび／または非接触カードに書込まれた情報を読み取るように構成された非接触カードリーダ・ライタ１０であって、筐体の情報書込み・読込み部を覆うカバーが筐体を載置面に対して立てた状態に支持するスタンド１２となることを特徴とする。筐体を載置面に対して立てた状態に支持するカバー兼用スタンド１２が、筐体の情報書込み・読込み部を覆うカバーとなるため、新たにカバーを設けることなく、情報書込み・読込み部を埃と衝撃から守ることが可能となり、カバーをスタンドとするため、支持脚の幅が当然に筐体の幅よりも広くなり、載置時に安定感がある。【選択図】  図１
2005078298.tif 000002
【特許請求の範囲】
【請求項１】
筐体に内蔵された情報書込み・読込み部により、前記筐体の情報書込み・読込み側に置かれた非接触カードに情報を書込みおよび／または非接触カードに書込まれた情報を読み取るように構成された非接触カードリーダ・ライタにおいて、
前記筐体の前記情報書込み・読込み部を覆うカバーが前記筐体を載置面に対して立てた状態に支持するスタンドとなることを特徴とする非接触カードリーダ・ライタ。
【請求項２】
前記筐体は保持部を有し、前記カバー折畳み時に非接触カードが入る空間を有するように構成したことを特徴とする請求項１記載の非接触カードリーダ・ライタ。
【請求項３】
前記筐体の左右にそれぞれ２つの凹部を設け、前記カバーの左右の前記筐体側にそれぞれ１つの凸部を設け、角度を調節するように構成したことを特徴とする請求項１記載の非接触カードリーダ・ライタ。
【発明の詳細な説明】
【技術分野】
【０００１】
本発明は、非接触カードの情報を読込んだり、非接触カードに情報を書込む非接触カードリーダ・ライタに関する。
【背景技術】
【０００２】
近年、ＩＣチップを搭載したカードが様々な分野で利用されている。例えば、定期券や交通機関用のプリペイドカード、キャッシュカード等として利用されている。このようなカードは非接触で、情報の読込み、書込みをすることができるので、非接触カード、非接触ＩＣカード等と呼ばれている。この非接触カードの情報を読込んだり、非接触カードに情報を書込むには非接触カードリーダ・ライタが必要である。
【０００３】
非接触カードリーダ・ライタは、筐体に内蔵されたアンテナから電磁波を出力し、非接触カードとの間で情報を授受するように構成されている。このような非接触カードリーダ・ライタとして特許文献１の非接触ＩＣカードリーダ・ライタが提案されている。特許文献１の非接触ＩＣカードリーダ・ライタは、金属製の机上などに載置しても、ＩＣカードと安定して通信できるように筐体を載置面に対して立てた状態に支持する支持脚を備えている。さらに、非使用時には、支持脚を折り畳むことによってコンパクトに収納できるように構成している。なお、この支持脚は、筐体の背面から離すように９０°未満の範囲で回動させることが可能なものである。
【０００４】
しかしながら、上記特許文献１の非接触ＩＣカードリーダ・ライタによれば、ＩＣカードの情報書込み・読込み部が常に表出しており、カードの情報書込み・読込み部に埃が付いてしまう。また、カードの情報書込み・読込み部が表出しているため、衝撃を受けやすい。さらに、上記非接触ＩＣカードリーダ・ライタの支持脚は、筐体に折り畳むことができるものであるため、当然に筐体の幅よりも狭く、載置時に安定感がなかった。そこで、載置時に安定感があり、かつカードの情報書込み・読込み部に埃や傷が付きにくい非接触カードリーダ・ライタが望まれる。
【０００５】
【特許文献１】特開２００３−５８８３３号公報（第１図および第２図）
【発明の開示】
【発明が解決しようとする課題】
【０００６】
本発明の課題は、載置時に安定感があり、かつカードの情報書込み・読込み部に埃や傷が付きにくい非接触カードリーダ・ライタを実現するものである。
【０００７】
本発明の目的は、上記の要望に応えるものであり、載置時に安定感があり、かつカード載置面に埃や傷が付きにくい非接触カードリーダ・ライタを提供することにある。
【課題を解決するための手段】
【０００８】
本発明に係る非接触カードリーダ・ライタは、上記目的を達成するために、次のように構成される。
【０００９】
本発明に係る第１の非接触カードリーダ・ライタ（請求項１に対応）は、筐体に内蔵された情報書込み・読込み部により、筐体の情報書込み・読込み側に置かれた非接触カードに情報を書込みおよび／または非接触カードに書込まれた情報を読み取るように構成された非接触カードリーダ・ライタであって、筐体の情報書込み・読込み部を覆うカバーが筐体を載置面に対して立てた状態に支持するスタンドとなることを特徴とする。
【００１０】
本発明に係る非接触カードリーダ・ライタによれば、筐体を載置面に対して立てた状態に支持するスタンドが、筐体の情報書込み・読込み部を覆うカバーと兼用されるため、新たにカバーを設けることなく、情報書込み・読込み部を埃と衝撃から守ることが可能となる。また、カバーをスタンドとするため、支持脚の幅が当然に筐体の幅よりも広くなり、載置時に安定感がある。
【００１１】
本発明に係る第２の非接触カードリーダ・ライタ（請求項２に対応）は、上記の第１の構成において、好ましくは、筐体が保持部を有し、カバー折畳み時に非接触カードが入る空間を有するように構成したことで特徴づけられる。上記構成により、折畳み時にカードを非接触カードリーダ・ライタ内に収容することができ、同時に折畳み時でも使用可能となる。
【００１２】
本発明に係る第３の非接触カードリーダ・ライタ（請求項３に対応）は、上記の第１の構成において、好ましくは、筐体の左右にそれぞれ２つの凹部を設け、カバーの左右の筐体側にそれぞれ１つの凸部を設け、角度を調節するように構成したことで特徴づけられる。上記構成により、載置面に対して立てた状態を２つの状態に調節可能となる。
【発明の効果】
【００１３】
本発明によれば、次の効果を奏する。
【００１４】
本発明の非接触カードリーダ・ライタは、筐体の情報書込み・読込み部を覆うカバーが筐体を載置面に対して立てた状態に支持するスタンドとなるので、新たにカバーを設けることなく、情報書込み・読込み部を埃と衝撃から守ることができる。また、カバーをスタンドと兼用させたため、スタンドの載置面との接触部が筐体の幅よりも広くなり、載置時に安定感がある。
【発明を実施するための最良の形態】
【００１５】
以下に、本発明の好適な実施形態を添付図面に従って説明する。
【００１６】
実施形態で説明される構成等については本発明が理解・実施できる程度に概略的に示したものにすぎない。従って本発明は、以下に説明される実施形態に限定されるものではなく、特許請求の範囲に示される技術的思想の範囲を逸脱しない限り様々な形態に変更することができる。
【００１７】
図１は、本発明に係る非接触カードリーダ・ライタの正面斜視図である。非接触カードリーダ・ライタ１０の筐体１１は上ケース１１ｕと下ケース１１ｄから構成される。上ケース１１ｕの下部には、非接触カードを置くときにカードを保持するカード保持部１３が形成される。カード保持部１３にはカード受け部１４Ｌとカード受け部１４Ｒが設けられる。カード受け部１４Ｌ，１４Ｒは、カード兼用スタンド１２を折り畳んだ状態でカードを置くときに使用される。なお、Ｌ１は電源が入ったことを示すＬＥＤであり、Ｌ２はアクセス中に点灯するＬＥＤである。
【００１８】
筐体１１には、情報書込み・読込み部（図示せず）が内蔵されている。筐体１１は、回転支持部１５を支点として回転自在なカバー兼用スタンド１２が取付けられる。カバー兼用スタンド１２には、切り欠き部１６が設けられ、カバー兼用スタンド１２が折り畳まれたときには、この切り欠き部をコード１７が通る。図２以下では、コード１７は省略する。符号１８，１９は筐体１１の左右に設けられた凹部である。
【００１９】
カバー兼用スタンド１２は、筐体１１を覆うように折り畳まれるため、筐体１１の幅よりも広い幅を有する。このため、載置時に安定感がある。
【００２０】
図２は、本発明に係る非接触カードリーダ・ライタの側面図である。非接触カードリーダ・ライタ１０は、載置面に対して立てた状態に支持する際、２段階に調節できるように構成されている。これは、筐体１１の左右にそれぞれ２つの凹部１８，１９を設け、カバー兼用スタンド１２の左右の筐体１１側にそれぞれ１つの凸部を設け、凹凸が合わさった状態が２段階できるためである。破線で示した筐体１１と実線で示した筐体１１の２段階で調節可能である。なお、実線で示した筐体１１の場合には、Ａが示す部分で筐体１１の裏側とカバー兼用スタンド１２が当接し、筐体１１を支えることができる。
【００２１】
図３は、本発明に係る非接触カードリーダ・ライタの使用時の正面斜視図である。ＩＣチップを搭載した非接触カード２０が情報書込み・読込み側に置かれた状態を示している。非接触カード２０はカード保持部１３に保持される。ＬＥＤＬ１，Ｌ２は非接触カード２０が置かれても見ることができるような場所に設けられる。
【００２２】
図４は、本発明に係る非接触カードリーダ・ライタのカバー兼用スタンドを閉じた状態での斜視図である。筐体１１はカバー兼用スタンド１２の折畳み時に非接触カード２０が入る空間を有するように構成されているので、筐体に設けられた保持部１３に非接触カード２０を入れたまま、カバー兼用スタンド１２を折畳むことができる。カバー兼用スタンド１２は、ＬＥＤＬ１，Ｌ２がカバー兼用スタンド１２が折畳まれた状態であっても、見ることができるように透明体で構成または、ＬＥＤＬ１，Ｌ２の部分のみ表示窓を形成するようにすることが好ましい。これにより、情報書込み・読込み部に埃や傷を付けることなく、非接触カード２０へ情報の書込みや、非接触カード２０からの読込みが可能となる。
【００２３】
図５および図６は、本発明に係る非接触カードリーダ・ライタのカバー兼用スタンドを閉じた状態での斜視図である。非接触カードリーダ・ライタ１０は、非接触の状態であっても、非接触カード２０へ情報の書込みや、非接触カード２０からの読込みが可能であるため、カバー兼用スタンド１２を閉じた状態であっても、非接触カード２０へ情報の書込みや、非接触カード２０からの読込みができる。カバー兼用スタンド１２を閉じた状態で、非接触カード２０へ情報の書込みや、非接触カード２０からの読込みを行う場合、カード保持部１３に設けられたカード受け部１４Ｌとカード受け部１４Ｒが非接触カード２０を受ける（図５参照）。また、カード受け部１４Ｌとカード受け部１４Ｒの間隔は非接触カード２０の短い幅とほぼ同じとして、非接触カード２０を図５のように置いた状態に対して直角になるように置くこともできる（図６参照）。また、カバー兼用スタンド１２をスタンドとして使用したときに、非接触カード２０を保持部１３へ置く場合と同様に、筐体１１に対して平行に置くこともできる。
【産業上の利用可能性】
【００２４】
本発明は、非接触カードの情報を読込んだり、非接触カードに情報を書込む非接触カードリーダ・ライタに利用される。
【図面の簡単な説明】
【００２５】
【図１】本発明に係る非接触カードリーダ・ライタの正面斜視図である。
【図２】本発明に係る非接触カードリーダ・ライタの側面図である。
【図３】本発明に係る非接触カードリーダ・ライタの使用時の正面斜視図である。
【図４】本発明に係る非接触カードリーダ・ライタのカバー兼用スタンドを閉じた状態での斜視図である。
【図５】本発明に係る非接触カードリーダ・ライタのカバー兼用スタンドを閉じた状態での斜視図である。
【図６】本発明に係る非接触カードリーダ・ライタのカバー兼用スタンドを閉じた状態での斜視図である。
【符号の説明】
【００２６】
１０         非接触カードリーダ・ライタ
１１         筐体
１２         カード兼用スタンド
１３         カード保持部
１５         回転支持部
２０         非接触カード
【図１】
2005078298.tif 000003
【図２】
2005078298.tif 000004
【図３】
2005078298.tif 000005
【図４】
2005078298.tif 000006
【図５】
2005078298.tif 000007
【図６】
2005078298.tif 000008